(57)【要約】【課題】ユーザーが効率的にマルチメディアファイルを管理でき、かつ特定の位置に関するマルチメディアファイルを放送することができる位置指示機能付きモバイルマルチメディア放送装置を提供する。【解決手段】マルチメディア信号をデジタルマルチメディアデータに変換し出力するマルチメディア取得ユニットと、ＧＰＳデータを受信し出力するＧＰＳデータ受信ユニットと、デジタルマルチメディアデータ及びＧＰＳデータにおける位置情報を読み取って処理することにより、マルチメディアファイルを作成するデジタル処理ユニットと、デジタル処理ユニットから送信されたデジタルマルチメディアデータ及び位置情報を同一のファイルに記憶するメモリと、マルチメディアファイルを出力するマルチメディアファイル出力ユニットと、デジタル処理ユニットの制御により、メモリから選択されたマルチメディアファイルを放送するマルチメディア放送ユニットとを備える。【選択図】図１
2009225415.tif 000002
【特許請求の範囲】
【請求項１】
マルチメディア信号を取得し、デジタルマルチメディアデータに変換し出力するマルチメディア取得ユニットと、
ＧＰＳデータを受信し出力するＧＰＳデータ受信ユニットと、
前記マルチメディア取得ユニット、及びＧＰＳデータ受信ユニットに電気接続され、前記デジタルマルチメディアデータ及び前記ＧＰＳデータにおける位置情報を読み取って処理することにより、マルチメディアファイルを作成するデジタル処理ユニットと、
前記デジタル処理ユニットに電気接続され、該デジタル処理ユニットから送信された前記デジタルマルチメディアデータ及び位置情報を同一のファイルに記憶するメモリと、
前記デジタル処理ユニットに電気接続され、マルチメディアファイルを出力するマルチメディアファイル出力ユニットと、
前記デジタル処理ユニットに電気接続され、前記デジタル処理ユニットの制御により、前記メモリから選択されたマルチメディアファイルを放送するマルチメディア放送ユニットとを備え、
前記デジタル処理ユニットは、
前記マルチメディア取得ユニットがマルチメディアデータを出力しているかを判断し、出力していない場合は、マルチメディアデータを取得するまで判断し続けることと、
現在の位置情報を取得することと、
前記位置情報及びマルチメディアデータを同一のファイルにして対応するメモリアドレスに記憶することと、
を含む位置情報付きマルチメディアファイルの作成プロセスをさらに有することを特徴とする位置指示機能付きモバイルマルチメディア放送装置。
【請求項２】
前記マルチメディア取得ユニットが、マイクと、該マイクとデジタル処理ユニットとの間に電気接続されるアナログ・デジタルコンバータとを含み、前記マルチメディア放送ユニットが、スピーカと、該デジタル処理ユニットと前記スピーカとの間に電気接続されるデジタル・アナログコンバータとを含むことを特徴とする請求項１に記載の位置指示機能付きモバイルマルチメディア放送装置。
【請求項３】
演算及び記憶機能を有するコンピュータで実行するマルチメディアファイルの放送方法において、
地図をロードするステップと、
位置情報付きマルチメディアファイルをロードするステップと、
位置情報により複数の前記マルチメディアファイルを、グループ分けするステップと、
前記地図における各グループの位置情報と対応する位置をマークするステップと、
マルチメディア放送インタフェースを介して特定のマルチメディアファイルを選択するステップと、
選択された前記マルチメディアファイルを放送するステップと、を含み、
前記グループ分けステップでは、
前記位置情報が同一でフォーマットが異なるマルチメディアファイルを、同一の位置グループとする場合、前記マルチメディア放送インタフェースは、特定の位置により前記位置情報にあるすべてのマルチメディアファイルを選択して放送する位置放送機能を有し、
各マルチメディアファイル、及びマルチメディアファイルと同一の位置情報を有する他のマルチメディアファイルを、同一のファイルグループに組み入れる場合、前記マルチメディア放送インタフェースは、特定の前記マルチメディアファイルを選択することにより、同一の位置情報を有するすべてのマルチメディアファイルを選択して放送するファイル放送機能を有する、
ことを特徴とするマルチメディアファイルの放送方法。
【発明の詳細な説明】
【技術分野】
【０００１】
本発明は、特に位置指示機能付きモバイルマルチメディア放送装置に関するものである。
【背景技術】
【０００２】
科学技術が進歩するにつれて、毎年数多くの音声プレイヤーが開発されているが、近年では、半導体製造プロセス及びマルチメディア解凍ソフトウェア技術の発展に伴ない、音声及び画像の放送機能を有する電子装置（例えば、ＭＰ３プレイヤ、携帯電話など）がますます小型化し、モバイル機器として使用されている。
【０００３】
また、従来広く使用されていたアナログ装置も、近年ではデジタル装置に替わりつつあり、例えば、従来のフィルムを使用するカメラは、画像を記憶可能なメモリカードを使用するデジタルカメラに替わってきている。さらに、そのようなデジタルカメラは、マイクを内蔵することによりビデオカメラとしても使用できるようになった。故に、デジタル技術の発展は、ユーザーに対して多くの利便性や実用性を提供してきたと言える。
【０００４】
前記のように、デジタル化により多くの機能を１つの製品に集約させることができるようになってきたので、一般に現在のモバイル式デジタル製品は、音声の録音/再生機能及び画像の録画/再生機能を有する。このことから、より多くのデジタル機能を集約させることができれば、モバイル式デジタル製品の価値を更に高めることができる。
【発明の開示】
【発明が解決しようとする課題】
【０００５】
本発明は、以上のような事情に鑑みてなされたものであり、音声、画像、又はその両方などのマルチメディアファイルを記録するとき、同時に各マルチメディアファイルの現在の位置を取得することができると共に、マルチメディアファイルの放送方法により特定の場所に対して該場所に関するマルチメディアファイルを速やかにサーチし放送することができる位置指示機能付きモバイルマルチメディア放送装置を提供することを目的としている。
【課題を解決するための手段】
【０００６】
本願の請求項１に係る発明は、マルチメディア信号を取得し、デジタルマルチメディアデータに変換し出力するマルチメディア取得ユニットと、
ＧＰＳデータを受信し出力するＧＰＳデータ受信ユニットと、
前記マルチメディア取得ユニット、及びＧＰＳデータ受信ユニットに電気接続され、前記デジタルマルチメディアデータ及び前記ＧＰＳデータにおける位置情報を読み取って処理することにより、マルチメディアファイルを作成するデジタル処理ユニットと、
前記デジタル処理ユニットに電気接続され、該デジタル処理ユニットから送信された前記デジタルマルチメディアデータ及び位置情報を同一のファイルに記憶するメモリと、
前記デジタル処理ユニットに電気接続され、マルチメディアファイルを出力するマルチメディアファイル出力ユニットと、
前記デジタル処理ユニットに電気接続され、前記デジタル処理ユニットの制御により、前記メモリから選択されたマルチメディアファイルを放送するマルチメディア放送ユニットとを備え、
前記デジタル処理ユニットは、
前記マルチメディア取得ユニットがマルチメディアデータを出力しているかを判断し、出力していない場合は、マルチメディアデータを取得するまで判断し続けることと、
現在の位置情報を取得することと、
前記位置情報及びマルチメディアデータを同一のファイルにして対応するメモリアドレスに記憶することと、を含む位置情報付きマルチメディアファイルの作成プロセスをさらに有することを特徴とする位置指示機能付きモバイルマルチメディア放送装置を提供するものである。
【０００７】
本願の請求項２に係る発明は、前記マルチメディア取得ユニットが、マイクと、該マイクとデジタル処理ユニットとの間に電気接続されるアナログ・デジタルコンバータとを含み、前記マルチメディア放送ユニットが、スピーカと、該デジタル処理ユニットと前記スピーカとの間に電気接続されるデジタル・アナログコンバータとを含むことを特徴とする請求項１に記載の位置指示機能付きモバイルマルチメディア放送装置を提供するものである。
【０００８】
本願の請求項３に係る発明は、演算及び記憶機能を有するコンピュータで実行するマルチメディアファイルの放送方法において、
地図をロードするステップと、
位置情報付きマルチメディアファイルをロードするステップと、
位置情報により複数の前記マルチメディアファイルを、グループ分けするステップと、
前記地図における各グループの位置情報と対応する位置をマークするステップと、
マルチメディア放送インタフェースを介して特定のマルチメディアファイルを選択するステップと、
選択された前記マルチメディアファイルを放送するステップと、を含み、
前記グループ分けステップでは、
前記位置情報が同一でフォーマットが異なるマルチメディアファイルを、同一の位置グループとする場合、前記マルチメディア放送インタフェースは、特定の位置により前記位置情報にあるすべてのマルチメディアファイルを選択して放送する位置放送機能を有し、
各マルチメディアファイル、及びマルチメディアファイルと同一の位置情報を有する他のマルチメディアファイルを、同一のファイルグループに組み入れる場合、前記マルチメディア放送インタフェースは、特定の前記マルチメディアファイルを選択することにより、同一の位置情報を有するすべてのマルチメディアファイルを選択して放送するファイル放送機能を有する、
ことを特徴とするマルチメディアファイルの放送方法を提供するものである。
【発明の効果】
【０００９】
本発明の位置指示機能付きモバイルマルチメディア放送装置は、主にマルチメディア放送装置にＧＰＳデータ受信ユニットを内蔵して使用し、これによれば、マルチメディア取得ユニットがマルチメディアファイルを出力した時、デジタル処理ユニットが直ちにＧＰＳデータ受信ユニットから出力された位置情報を取得し、位置情報とマルチメディアファイルを同一のファイルに記憶するので、マルチメディア放送装置のマルチメディアファイルに位置情報も含めることができる。
【００１０】
本発明のマルチメディアファイルの放送方法によれば、位置情報付きマルチメディアファイルをロードし、各マルチメディアファイルの位置情報に基づいて、その対応位置を地図にマークし表示すると共に、マルチメディア放送インタフェースを介して特定の位置に関するマルチメディアファイルを放送することができる。
【発明を実施するための最良の形態】
【００１１】
以下、添付図面を参照して本発明の好適な実施の形態を詳細に説明する。尚、下記実施例は、本発明の好適な実施の形態を示したものにすぎず、本発明の技術的範囲は、該実施例そのものに何ら限定されるものではない。
【００１２】
図１は本発明に係る位置指示機能付きモバイルマルチメディア放送装置の第１実施例のブロック図であり、図２は本発明に係る位置指示機能付きモバイルマルチメディア放送装置の第２実施例のブロック図であり、図３は本発明に係るマルチメディアファイルの放送方法の流れ図であり、図４は本発明に係るマルチメディア放送装置とコンピュータとの接続状態を示す模式図であり、図５Ａは本発明に係るマルチメディアファイルのグループ分けの図であり、図５Ｂは本発明に係るマルチメディアファイルのグループ分けの図であり、図６Ａは本発明に係るマルチメディア放送インタフェース画面を示す図であり、図６Ｂは本発明に係る特定のマルチメディアファイルを編集可能なＥＸＩＦ表の画面を示す図であり、図７は本発明に係るマルチメディア放送装置における位置報付きマルチメディアファイルの処理プロセスの流れ図である。
【００１３】
図１に示すように、本発明に係る第１実施例のマルチメディア放送装置（１０）は、マルチメディア信号（音声信号または画像信号）を取得し、デジタルマルチメディアデータに変換して出力するマルチメディア取得ユニット（１１）と、ＧＰＳデータを受信し出力するＧＰＳデータ受信ユニット（１４）と、前記マルチメディア取得ユニット（１１）、及びＧＰＳデータ受信ユニット（１４）に電気接続され、前記デジタルマルチメディアデータ及び前記ＧＰＳデータにおける位置情報を読み取って処理することにより、マルチメディアファイルを作成するデジタル処理ユニット（１５）と、前記デジタル処理ユニット（１５）に電気接続され、該デジタル処理ユニット（１５）から送信された前記デジタルマルチメディアデータ及び位置情報を同一のファイルに記憶する（例えば、マルチメディアファイルのフィールドプロパティに記憶する）メモリ（１６）と、前記デジタル処理ユニットに電気接続され、マルチメディアファイルを出力するマルチメディアファイル出力ユニット（１２）と、前記デジタル処理ユニット（１５）に電気接続され、該デジタル処理ユニット（１５）の制御により、前記メモリ（１６）から選択されたマルチメディアファイルを放送するマルチメディア放送ユニット（１７）とを備える。
【００１４】
また、前記マルチメディアキャッチユニット（１１）は、マイク（１１１）と、該マイク（１１１）に電気接続され、該マイク（１１１）が出力する音声信号を音声データに変換するアナログ・デジタルコンバータ（１１２）とを含み、前記マルチメディアファイル出力ユニット（１２）は、一般のコンピュータ接続ポートで、例えば、ＵＳＢ、ＩＲ、ＲＪ４５、ブルートウース（登録商標）などの有線または無線の接続ポートであり、前記位置情報は少なくとも、位置の経緯座標及び時間情報を含み、前記マルチメディア放送ユニット（１７）は、スピーカ（１７１）と、該スピーカ（１７１）及びデジタル処理ユニット（１５）に電気接続されるデジタル・アナログコンバータ（１７２）とを含む。
【００１５】
図２に示すように、本発明に係る第２実施例のマルチメディア放送装置（１０ａ）の構成は、第１実施例のマルチメディア放送装置（１０）と殆ど同様であるが、マルチメディア取得ユニット（１１）が、マイクを有する画像読取器（１１１ａ）と、該画像読取器（１１１ａ）に電気接続され、該画像読取器（１１１ａ）が出力する音声画像信号を音声画像データに変換するアナログ・デジタルコンバータ（１１２）を含み、また、前記マルチメディア放送ユニット（１７）が、スピーカを有する表示装置（１７１ａ）と、該表示装置（１７１ａ）及びデジタル処理ユニット（１５）に電気接続されるデジタル・アナログコンバータ（１７２）を含む点において異なる。
【００１６】
故に、図４に示すように、前記本発明に係る第１実施例のマルチメディア放送装置（１０）は、ＭＰ３プレイヤの機能を有し、また、前記本発明に係る第２実施例のマルチメディア放送装置（１０ａ）は、デジカルカメラ（１０ａ）またはビデオカメラ（１０ｂ）の機能を有する。
【００１７】
図３に示すように、本発明に係るマルチメディアファイルの放送方法は、演算及び記憶機能を有するコンピュータ（２０）により実行するものであり、地図をロードするステップ（３０）と、位置情報付きマルチメディアファイルをロードするステップ（３１）と、位置情報により複数の前記マルチメディアファイルを、グループ分けするステップ（３２）と、前記地図における各グループの位置情報と対応する位置をマークするステップ（３３）と、マルチメディア放送インタフェースを介して特定のマルチメディアファイルを選択するステップ（３４）と、選択された前記マルチメディアファイルを放送するステップ（３５）とを含む。
【００１８】
また、前記マルチメディア放送インタフェース（２１）は少なくとも、特定の位置により前記位置情報にあるすべてのマルチメディアファイルを選択して放送する位置放送機能を有し、または特定の前記マルチメディアファイルを選択することにより、同一の位置情報を有するすべてのマルチメディアファイルを選択して放送するファイル放送機能を有する。
【００１９】
図４に示すように、本発明に係るマルチメディア放送装置（１０）、（１０ａ）、（１０ｂ）は、マルチメディアファイル出力ユニット（１２）を含むことから、マルチメディアファイルの放送方法を実行するコンピュータ（２０）に電気接続することにより、該コンピュータ（２０）でマルチメディア放送装置（１０）、（１０ａ）、（１０ｂ）に記憶されている位置情報付きマルチメディアファイルを取得することができる。
【００２０】
図５Ａ及び図５Ｂに示すように、各マルチメディアファイルの位置情報は、コンピュータにより取得することができるので、位置情報によりフォーマットが異なるマルチメディアファイルをグループ分けすることできる。以下、位置情報によるグループ分けする方法、及び位置情報とフォーマットとによるグループ分けする方法を説明する。
【００２１】
図５Ａに示すように、コンピュータは、位置情報が同一のマルチメディアファイルを同一の位置グループ（例えば、台北（位置一））にすることができ、さらに地図上の対応する位置をマークすることにより、ユーザーは、どの位置にその位置での音声、画像、又はその両方のマルチメディアファイルが記憶されているかを判断することができるので、前記マルチメディア放送インタフェースは、位置により、放送したいマルチメディアファイルを選択することができる。
【００２２】
また、図５Ｂに示すように、コンピュータは、複数のマルチメディアファイルの中の一つを選択し、選択したマルチメディアファイル、及び選択したマルチメディアファイルと同一の位置情報を有する他のマルチメディアファイルを同一のファイルグループに組み入れることができる。例えば、ユーザーが、ある音声ファイルを選択すると、コンピュータが自動的に前記音声ファイルのグループに属するマルチメディアファイル（例えば、写真または画像）をマルチメディア放送インタフェースに表示し、このとき、音声、画像、又はその両方のマルチメディアファイルを同時に放送する。
【００２３】
図６Ａに示すように、コンピュータは、記憶されている地図（２２）とマルチメディアファイルの名称を、マルチメディア放送インタフェース（２０）に表示し、該地図は、ＧＯＯＧＬＥ（登録商標）マップにリンクされ、ユーザーが地名を入力することにより、放送したいマルチメディアファイルを選択する、そして、コンピュータが入力された地名と対応する位置情報を検索し、さらに前記位置グループに属するマルチメディアファイルを読み出すと共に、該マルチメディアファイルを表示することにより、特定のマルチメディアファイルを選択し放送する。また、図６Ａに示すように、ユーザーが特定の地名を入力すると、前記地名を記録した写真ファイルまたは音声ファイルを検索して、その内容を放送する。
【００２４】
図６Ｂに示すように、コンピュータが本発明に係るマルチメディアファイルの放送方法を実行する時、さらにファイル情報管理機能を提供する、即ち、ユーザーがマルチメディア放送インタフェース（２１）における写真をクリックすると、前記ファイル情報管理機能が実行され、マルチメディア放送インタフェース（２１）における写真のファイル情報を編集することができるＥＸＩＦ表（２３）が表示される。
【００２５】
図７に示すように、前記デジタル処理ユニットは、マルチメディア取得ユニットがマルチメディアデータを出力しているかを判断し、出力していない場合は、マルチメディアデータを取得するまで判断し続けるステップ（４０）と、現在の位置情報を取得するステップ（４１）と、位置情報と時間データ及びマルチメディアデータを同一のファイルにして対応するメモリアドレスに記憶するステップ（４２）とを含む位置情報付きマルチメディアファイルの作成プロセスをさらに有する。
【００２６】
前記の例においては、位置情報を、同一のマルチメディアファイルのフィールドプロパティに記憶させることができるので、外部の電子装置により前記マルチメディアファイル出力ユニットに一度アクセスすれば、マルチメディアファイル、その対応する位置及び時間データを同時に取得することができる。
【産業上の利用可能性】
【００２７】
本発明に係る位置指示機能付きモバイルマルチメディア放送装置及びマルチメディアファイルの放送方法は、上述したように、ユーザーが効率的にマルチメディアファイルを管理でき、かつ特定の位置に関するマルチメディアファイルを放送することができるので、非常に実用的である。
【図面の簡単な説明】
【００２８】
【図１】本発明に係る位置指示機能付きモバイルマルチメディア放送装置の第１実施例のブロック図である。
【図２】本発明に係る位置指示機能付きモバイルマルチメディア放送装置の第２実施例のブロック図である。
【図３】本発明に係るマルチメディアファイルの放送方法の流れ図である。
【図４】本発明に係るマルチメディア放送装置とコンピュータとの接続状態を示す模式図である。
【図５Ａ】本発明に係るマルチメディアファイルのグループ分けの図である。
【図５Ｂ】本発明に係るマルチメディアファイルのグループ分けの図である。
【図６Ａ】本発明に係るマルチメディア放送インタフェース画面を示す図である。
【図６Ｂ】本発明に係る特定のマルチメディアファイルを編集可能なＥＸＩＦ表の画面を示す図である。
【図７】本発明に係るマルチメディア放送装置における位置情報付きマルチメディアファイルの処理プロセスの流れ図である。
【符号の説明】
【００２９】
１０、１０ａ、１０ｂ  マルチメディア放送装置
１１  マルチメディア取得ユニット
１１１  マイク
１１１ａ  画像読取器
１１２  アナログ・デジタルコンバータ
１２  マルチメディアファイル出力ユニット
１４  ＧＰＳデータ受信ユニット
１５  デジタル処理ユニット
１６  メモリ
１７  マルチメディア放送ユニット
１７１  スピーカ
１７１ａ  表示装置
１７２  デジタル・アナログコンバータ
２０  コンピュータ
２１  マルチメディア放送インタフェース
２２  地図
２３  ＥＸＩＦ表
【図１】
2009225415.tif 000003
【図２】
2009225415.tif 000004
【図３】
2009225415.tif 000005
【図４】
2009225415.tif 000006
【図５Ａ】
2009225415.tif 000007
【図５Ｂ】
2009225415.tif 000008
【図６Ａ】
2009225415.tif 000009
【図６Ｂ】
2009225415.tif 000010
【図７】
2009225415.tif 000011